(57)【要約】【課題】電子機器全体を大型化することなく筐体に加わる外力から筐体を保護すると共に、片手での電子機器の持ちやすさを高める。【解決手段】携帯端末１の筐体３における背面３ｂの両端部に跨がるように背面３ｂに沿って設けられる背面プロテクタ１６と、背面３ｂの外周部の全周に亘って覆うように設けられる環状の外周プロテクタ１６と、を備える。背面プロテクタ１６の両端部は、外周プロテクタ１７に連結されている。【選択図】図２
2015139146.tif 000002
【特許請求の範囲】
【請求項１】
電子機器の筐体における一面の両端部に跨がるように該一面に沿って設けられる第１のケース部材と、
前記一面の外周部の全周に亘って覆うように設けられる環状の第２のケース部材と、を備え、
前記第１のケース部材の両端部は、前記第２のケース部材に連結されているケース構造体。
【請求項２】
前記第１のケース部材は、前記筐体の前記一面の一部が膨出して形成された膨出部を覆う形状に形成されている、請求項１に記載の電子機器のケース構造体。
【請求項３】
前記第１のケース部材と前記第２のケース部材との連結部は、前記筐体に係合されている、請求項１または２に記載のケース構造体。
【請求項４】
前記連結部は、前記筐体に形成された凹部に係合される凸部を有する、請求項３に記載のケース構造体。
【請求項５】
前記凸部は、前記第１のケース部材に形成された第１の凸部と、前記第２のケース部材に形成された第２の凸部と、を含み、
前記第２の凸部は、前記凹部と前記第１の凸部とに挟まれて固定される、請求項４に記載のケース構造体。
【請求項６】
前記第１の凸部と前記第２の凸部は、互いに交差する方向に突出している、請求項５に記載のケース構造体。
【請求項７】
前記第１のケース部材及び前記第２のケース部材を前記筐体に固定する固定ねじを備え、
前記第１のケース部材及び前記第２のケース部材は、前記固定ねじが挿通される挿通穴を有し、
前記挿通穴の内径は、前記固定ねじの直径よりも大きい。請求項１ないし６のいずれか１項に記載のケース構造体。
【請求項８】
前記第２のケース部材は、前記筐体の前記一面の外周部の周方向における複数の位置で分割された複数の分割部材を有する、請求項１ないし７いずれか１項に記載のケース構造体。
【請求項９】
前記第２のケース部材は、前記筐体の前記一面から離れる方向に対する前記第２のケース部材の移動を規制するように前記筐体に係合する位置規制部を有する、請求項１ないし８のいずれか１項に記載のケース構造体。
【請求項１０】
請求項１ないし９のいずれか１項に記載の電子機器のケース構造体と、前記ケース構造体が固定される前記筐体と、を備える電子機器。
【発明の詳細な説明】
【技術分野】
【０００１】
本発明は、電子機器を部分的に覆うためのケース構造体、及びケース構造体を備える電子機器に関する。
【背景技術】
【０００２】
電子機器として例えば携帯端末では、携帯端末を誤って落下させたときなどに、携帯端末の筐体に加わる外力から筐体を保護するために、あらゆる落下方向に対して筐体を保護する必要がある。携帯端末の耐衝撃性能を確保して携帯端末の破損を防ぐために、筐体の外周部に装着することによって、携帯端末の外部から加わる衝撃から筐体を保護する緩衝構造として機能するプロテクタが知られている。本発明に関連するプロテクタとしては、携帯端末の外周部に沿って装着される構成が開示されている（例えば特許文献１、２参照）。
【０００３】
携帯端末の筐体にプロテクタを装着した場合であっても、携帯端末が有する表示部の視認性や、操作部の操作性を考慮すると、プロテクタを電子機器の周囲の全体に亘って配置することは困難である。また、プロテクタを装着した携帯端末のサイズや重量の増加を考慮した場合、プロテクタは筐体の必要な部分に限定して配置する構成が望ましい。
【０００４】
携帯端末の筐体にプロテクタを装着する場合、筐体の外形形状が、筐体の各面が凹凸を有していない直方体に近い形状であり、直方体の筐体の８つの角部にプロテクタをそれぞれ配置する構成が望ましい。この場合には、筐体を十分に保護すると共に、プロテクタの最小化を図ることができる構造となる。しかしながら、筐体を保護するためには、プロテクタが筐体から容易に外れることを防ぐ必要がある。そのため、上述したようにプロテクタを複数のプロテクタ片に分割した場合には、複数のプロテクタ片を固定する構造も増えてしまう不都合がある。
【０００５】
一般に、このような携帯端末では、筐体における面積が相対的に広い前面に表示パネルが配置されており、前面の反対側である背面に、カメラユニットのレンズが配置されている。特にカメラユニットは、他の構成部品と比べて外形寸法が大きいので、筐体の前面と背面との間の厚みに及ぼす影響が大きい。また、携帯端末の多機能化に伴って、筐体内のスペースに配置されるカメラユニットの他の構成部品も増えるので、筐体の厚みが大きくなる傾向にある。
【０００６】
このようにカメラユニットの外形寸法に合わせて、筐体の背面を平坦面に構成した場合、筐体の厚みが大きくなり、携帯端末全体の大型化を招く問題がある。そのため、筐体の内部の所定の位置に、相対的に大きな構成部品をまとめて配置することによって、筐体の一部のみを膨出して形成することが考えられている。このような膨出部を筐体に形成することで、筐体の他の部分の厚みを薄く形成し、携帯端末全体の小型化を図ることが可能になる。
【先行技術文献】
【特許文献】
【０００７】
【特許文献１】実用新案登録第３１８３５２８号公報
【特許文献２】実用新案登録第３１８３２６９号公報
【発明の概要】
【発明が解決しようとする課題】
【０００８】
しかしながら、上述のように筐体の背面の一部に膨出部が形成された場合、筐体から突出する膨出部が外部と衝突しやすくなり、膨出部に外力が加わりやすくなる。このような膨出部を有する筐体であっても、膨出部を覆うようにプロテクタを筐体に部分的に配置することによって、携帯端末を落下させたときに筐体が床面に直接当たることを防ぐことができる。しかし、筐体にプロテクタを装着した場合であっても、プロテクタを介して膨出部に外力が加わってしまうので、筐体周辺の構造部分で外力を受け止められるような機械的強度を高める対策を行う必要がある。
【０００９】
このため、プロテクタの形状が複雑化すると共に、筐体にプロテクタを固定する固定構造が複雑化する問題もある。このような複雑化に伴ってプロテクタ全体の大型化を招いてしまい、プロテクタを装着した携帯端末全体も大型化してしまう問題があった。また、筐体の膨出部の有無に限らずに、携帯端末にプロテクタを装着した場合には、携帯端末が大型化して、携帯端末の持ちやすさや操作性を損なう問題がある。
【００１０】
上述した問題の一方で、一般に携帯端末を使用する際、携帯端末を片手で保持した状態で、片手の親指のみで表示面や操作部を操作する場合が多い。筐体の前面にタッチパネルが配置された携帯端末においても、筐体の側面の両側を片手で握るように保持した状態で、筐体を保持した片手の親指でタッチパネルを操作するような場合が多い。そのため、タッチパネルを有する携帯端末では、タッチパネルを大型化した場合、筐体の両側の幅が広くなるので、筐体の両側を握る片手の親指の移動範囲が狭くなってしまう。その結果、携帯端末を保持する片手の親指でタッチパネルを操作する操作性が低下してしまう問題もあった。また、このような場合には、タッチパネルを操作するために、携帯端末を保持する片手の位置をずらして携帯端末を持ち替える必要が生じて、このような持ち替える動作中に携帯端末を誤って落としてしまうおそれがある。
【００１１】
そこで、本発明は、上記関連する技術の課題を解決することができるケース構造体及び電子機器を提供することを目的とする。本発明の目的の一例は、電子機器全体を大型化することなく筐体に加わる外力から筐体を保護すると共に、片手での電子機器の持ちやすさを高めることができるケース構造体及び電子機器を提供することにある。
【課題を解決するための手段】
【００１２】
上述した目的を達成するため、本発明に係るケース構造体は、電子機器の筐体における一面の両端部に跨がるように該一面に沿って設けられる第１のケース部材と、一面の外周部の全周に亘って覆うように設けられる環状の第２のケース部材と、を備える。第１のケース部材の両端部は、第２のケース部材に連結されている。
【００１３】
また、本発明に係る電子機器は、本発明のケース構造体と、ケース構造体が固定される筐体と、を備える。
【発明の効果】
【００１４】
本発明によれば、電子機器全体を大型化することなく筐体に加わる外力から筐体を保護すると共に、片手での電子機器の持ちやすさを高めることができる。
【図面の簡単な説明】
【００１５】
【図１】第１の実施形態の携帯端末を前面側から示す斜視図である。
【図２】第１の実施形態の携帯端末を背面側から示す斜視図である。
【図３】第１の実施形態の携帯端末を背面側から示す分解斜視図である。
【図４】第１の実施形態における上端面プロテクタと左側面プロテクタとを一部を透視して示す斜視図である。
【図５】第１の実施形態における上端面プロテクタを説明するための斜視図である。
【図６】第１の実施形態における上端面プロテクタが筐体に係合される状態を説明するための斜視図である。
【図７】第１の実施形態の携帯端末の前面側が床面上に接した状態を示す下側面図である。
【図８】第１の実施形態の携帯端末の前面側が床面上に接した状態を示す左側面図である。
【図９】第１の実施形態の携帯端末が背面側から床面上に傾いて接した状態を示す下側面図である。
【図１０】第１の実施携帯の携帯端末を片手で保持した状態を説明するための下側面図である。
【図１１】第２の実施形態の携帯端末におけるケース構造体を示す分解斜視図である。
【発明を実施するための形態】
【００１６】
以下、本発明の具体的な実施形態について、図面を参照して説明する。
【００１７】
本発明の電子機器として実施形態の携帯端末について説明する。携帯端末としては、例えば携帯電話機、ＰＨＳ(Personal Handyphone System)、ＰＤＡ(Personal Data Assistance，Personal Digital Assistants)を含めて指している。なお、本実施形態では、携帯端末について説明するが、携帯端末に限定されるものではなく、例えば携帯ゲーム機、タブレット型ＰＣ(Personal Computer)、ノート型ＰＣ等の他の電子機器に用いられて好ましい。
【００１８】
図１に、第１の実施形態の携帯端末を前面側から見た斜視図を示す。図２に、第１の実施形態の携帯端末を背面側から見た斜視図を示す。図３に、第１の実施形態の携帯端末を背面側から見た分解斜視図を示す。
【００１９】
（第１の実施形態）
図１に示すように、第１の実施形態の携帯端末１は、筐体３と、筐体３の周囲に固定されるケース構造体５と、を備えている。
【００２０】
筐体３は、略直方体に形成されており、面積が相対的に広い前面３ａに、表示部６が設けられている。筐体３には、図１に示す向きにおいて、前面３ａの上端に受話部７が配置され、前面３ａの下端に送話部８及びスピーカ部９が配置されている。表示部６としては、タッチパネルが用いられており、表示部６が操作部としても機能する。また、筐体３の内部には、図示しないが、制御基板、二次電池等の各種の構成部品が配置されている。以下、図１に示す筐体３の向きを基準として、筐体３の上端、下端、左側、右側と称する。
【００２１】
また、携帯端末１の下端には、図示しないが、外部機器と電気的に接続するための接続端子が配置されている。筐体３の下端には、接続端子を外部に臨ませる開口が設けられており、この開口に、図１及び図２に示すように、接続端子を覆う蓋部材１１が着脱可能に設けられている。
【００２２】
また、図３に示すように、筐体３の一面としての背面３ｂは、背面３ｂの一部が帯状に膨出して、背面３ｂの両端部である上端部と下端部とに跨がって形成された膨出部１２を有している。膨出部１２の上端側には、カメラ部のレンズ１３が配置されている。膨出部１２の内側には、筐体３内に配置された各種の構成部品が収容されている。
【００２３】
また、筐体３は、対向する前面３ａと背面３ｂとの間の厚みに関して、膨出部１２における、上端部と下端部との間の中央部の厚みが最も厚く、中央部から上端部及び下端部に向かって円弧状をなすように厚みが徐々に薄くなる、いわゆるアーチ状に形成されている。
【００２４】
また、筐体３の膨出部１２の上端部及び下端部には、図３に示すように、背面プロテクタ１６及び外周プロテクタ１７が係合されて固定される凹部１４が設けられている。凹部１４は、筐体３の厚み方向に対して円形状に窪んで形成されており、凹部１４の一部が、膨出部１２の両端面に連続するように切り欠かれている。凹部１４の底面には、筐体３にケース構造体５を固定するための固定ねじ１５が固定されるねじ穴３ｃが設けられている。また、筐体３の側面には、外周プロテクタ１７を筐体３に固定するための固定ねじ１５が固定されるねじ穴３ｃが設けられている。
【００２５】
図２及び図３に示すように、ケース構造体５は、携帯端末１の筐体３における背面３ｂの両端部に跨がるように背面３ｂに沿って設けられる第１のケース部材としての背面プロテクタ１６と、背面３ｂの外周部の全周に亘って覆うように設けられる環状の第２のケース部材としての外周プロテクタ１７と、を備えている。
【００２６】
背面プロテクタ１６及び外周プロテクタ１７は、例えば樹脂材料によって形成されている。変形例として、必要に応じて、背面プロテクタ１６及び外周プロテクタ１７の表面には、外力を緩和する緩衝材としての弾性材料が被覆されてもよい。
【００２７】
背面プロテクタ１６は、筐体３の膨出部１２全体を覆う形状に形成されており、膨出部１２に沿って配置される。背面プロテクタ１６は、筐体３の上端部と下端部とに跨がって筐体３の背面３ｂに沿って配置されることによって、いわゆる筐体３の背骨のような形状で配置されるので、筐体３の剛性を高めることができる。また、背面プロテクタ１６には、膨出部１２に設けられたレンズ１３を外部に臨ませるレンズ穴１６ａを有している。
【００２８】
図３に示すように、背面プロテクタ１６の上端部及び下端部の内側には、膨出部１２に係合される４つの第１の凸部１８が、筐体３の厚み方向に対して突出して設けられている。また、背面プロテクタ１６には、第１の凸部１８の反対側に、ケース構造体５を筐体３に固定するための固定ねじ１５が配置される凹部１９が設けられている。凹部１９の底面には、固定ねじ１５が挿通される挿通穴１９ａが設けられている。
【００２９】
挿通穴１９ａの内径は、固定ねじ１５のネジ部の直径よりもやや大きく形成されており、筐体３に固定された背面プロテクタ１６に外力が加わったときに、筐体３に対して背面プロテクタ１６が僅かに移動することが可能になっている。これによって、背面プロテクタ１６に加わった外力の一部を外周プロテクタ１６に伝えやすくなり、背面プロテクタ１６から筐体３に伝わる外力を緩和する作用が高められている。
【００３０】
背面プロテクタ１６の両端部は、図２及び図３に示すように、環状の外周プロテクタ１７に連結されている。背面プロテクタ１６の第１の凸部１８は、背面プロテクタ１６と外周プロテクタ１７とを連結する連結部として機能すると共に、背面プロテクタ１６を筐体３に固定するための固定部としても機能している。このため、背面プロテクタ１６の形状が簡素化され、ケース構造体５の大型化を防いでいる。
【００３１】
また、背面プロテクタ１６は、上述したアーチ状の膨出部１２と同様に、中央部から上端部及び下端部に向かって円弧状をなすように厚みが徐々に薄くなるアーチ状に形成されている。このようなアーチ状の背面プロテクタ１６は、上端側と下端側とが外周プロテクタ１７及び筐体３に支持されることになる。そのため、背面プロテクタ１７の中央部に加わる外力を効果的に減らすことが可能になり、背面プロテクタ１６に加わった外力を外周プロテクタ１７に更に分散させることができる。
【００３２】
図４に、第１の実施形態における上端面プロテクタと左側面プロテクタとを一部を透視した斜視図を示す。図５に、第１の実施形態における上端面プロテクタを説明するための斜視図を示す。図６に、第１の実施形態における上端面プロテクタが筐体３に係合される状態を説明するための斜視図を示す。
【００３３】
図３に示すように、外周プロテクタ１７は、筐体３の背面３ｂの外周部に対応する周方向における複数の位置で分割された複数の分割部材として、上下一対の上端面プロテクタ２１及び下端面プロテクタ２２と、左右一対の左側面プロテクタ２３及び右側面プロテクタ２４と、を有している。
【００３４】
図３及び図５に示すように、上端面プロテクタ２１及び下端面プロテクタ２２は、筐体３の上端部及び下端部を覆うキャップ状に形成されている。また、上端面プロテクタ２１及び下端面プロテクタ２２は、膨出部１２に設けられた凹部１４に係合する板状の第２の凸部２６を有している。第２の凸部２６は、筐体３の厚み方向に直交する方向に突出して形成されている。したがって、筐体３に、背面プロテクタ１６及び外周プロテクタ１７を係合させるときに、背面プロテクタ１６の第１の凸部１８が凹部１９に対して筐体３の厚み方向から挿入されて、外周プロテクタ１７の第２の凸部２６が、凹部１９の切り欠き部分を通って、凹部１９に対して筐体３の厚み方向に直交する方向から挿入される。そして、凹部１９に係合された第２の凸部２６は、凹部１９に係合された第１の凸部１８と凹部１９との間に挟まれた状態で固定される。
【００３５】
このように膨出部１２の凹部１９に対して挿入される背面プロテクタ１６の第１の凸部１８の挿入方向と、外周プロテクタ１７の第２の凸部２６の挿入方向とが互いに直交している。これによって、１つの凹部１９に対して第１の凸部１８及び第２の凸部２６の両方を係合させることが可能になるので、ケース構造体５の固定構造が簡素化されている。
【００３６】
また、上端面プロテクタ２１及び下端面プロテクタ２２の第２の凸部２６には、固定ねじ１５が挿通される挿通穴２６ａが設けられている。挿通穴２６ａの内径は、固定ねじ１５のネジ部の直径よりもやや大きく形成されており、筐体３に固定された上端面プロテクタ２１及び下端面プロテクタ２２に外力が加わったときに、筐体３に対して上端面プロテクタ２１及び下端面プロテクタ２２が僅かに移動することが可能になっている。これによって、上端面プロテクタ２１及び下端面プロテクタ２２に加わった外力の一部を、背面プロテクタ１６や左側面プロテクタ２３及び右側面プロテクタ２４に伝えやすくなり、上端面プロテクタ２１及び下端面プロテクタ２２から筐体３に伝わる外力を緩和する作用が高められている。
【００３７】
上述のように、上端面プロテクタ２１の第２の凸部２６は、上端面プロテクタ２１と背面プロテクタ１６とを連結する連結部として機能すると共に、上端面プロテクタ２１を筐体３に固定するための固定部としても機能している。これと同様に、下端面プロテクタ２２の第２の凸部２６は、下端面プロテクタ２２と背面プロテクタ１６とを連結する連結部として機能すると共に、下端面プロテクタ２２を筐体３に固定するための固定部としても機能している。これによって、上端面プロテクタ２１及び下端面プロテクタ２２の形状が簡素化されて、ケース構造体５の大型化を防いでいる。
【００３８】
また、上端面プロテクタ２１及び下端面プロテクタ２２には、左側面プロテクタ２３及び右側面プロテクタ２４の各々と係合される係合部２７を有している。係合部２７は、筐体３の外周面に沿って延ばされており、各プロテクタ２１、２２、２３、２４を環状に連結する。
【００３９】
また、上端面プロテクタ２１には、図５に示すように、筐体３の前面から離れる方向に対する上端面プロテクタ２１の移動を規制する位置規制部としての位置規制爪２８が設けられている。位置規制爪２８は、断面Ｌ字状に形成されており、上端面プロテクタ２１が筐体の上端部を覆ったときに位置規制爪２８が筐体３に係合することによって、上端面プロテクタ２１が筐体３の前面３ａ側から浮き上がるように位置ずれすることが規制されている。図示しないが、下端面プロテクタ２２にも、上端面プロテクタ２１と同様に、位置規制爪２８が設けられており、上端面プロテクタ２１が筐体３の前面３ａ側から浮き上がるように位置ずれすることが規制されている。また、筐体３の上端部及び下端部には、上端面プロテクタ２１及び下端面プロテクタ２２の位置規制爪２８が係合する係合溝２９が形成されている。
【００４０】
また、下端面プロテクタ２２は、図１及び図２に示すように、筐体３が有する蓋部材１１を外部に臨ませるための開口３１を有する点が、上端面プロテクタ２１と異なっている。
【００４１】
左側面プロテクタ２３及び右側面プロテクタ２４は、図４に示すように、上端面プロテクタ２１及び下端面プロテクタ２２の係合部２７が係合する係合部３３を有している。係合部３３は、筐体３の側面のねじ穴３ｃに隣接するように形成されている。
【００４２】
また、左側面プロテクタ２３及び右側面プロテクタ２４の外側には、固定ねじ１５が配置される凹部３４が、筐体３のねじ穴３ｃに対応する位置に設けられており、凹部３４の底面に、固定ねじ１５が挿通される挿通穴３４ａが設けられている。
【００４３】
挿通穴３４ａの内径は、固定ねじ１５のネジ部の直径よりもやや大きく形成されており、筐体３に固定された外周プロテクタ１７に外力が加わったときに、筐体３に対して外周プロテクタ１７が僅かに移動することが可能になっている。これによって、左側面プロテクタ２３及び右側面プロテクタ２４に加わった外力の一部を、背面プロテクタ１６や上端面プロテクタ２１及び下端面プロテクタ２２に伝えやすくなり、左側面プロテクタ２３及び右側面プロテクタ２４から筐体３に伝わる外力を緩和する作用が高められている。
【００４４】
以上のように構成された携帯端末１について、ケース構造体５が装着された筐体３が、平坦な床面上に接した状態を説明する。図７に、第１の実施形態の携帯端末１の前面３ａ側が床面上に接した状態の下側面図を示す。図８に、第１の実施形態の携帯端末１の前面３ａ側が床面上に接した状態の左側面図を示す。図９に、第１の実施形態の携帯端末１が背面３ｂ側から床面上に傾いて接した状態の下側面図を示す。
【００４５】
図７及び図８に示すように、携帯端末１の前面３ａ側が床面上に接した状態では、床面上に外周プロテクタ１７が当接するように構成されており、表示部６が床面に当接することが防止されている。
【００４６】
図９に示すように、携帯端末１が背面３ｂ側から床面上に傾いて接した状態では、背面プロテクタ１６と外周プロテクタ１７とに跨がって床面に当接するように構成されており、ケース構造体５によって覆われない、背面３ｂの部分が床面に当接することが防止されている。
【００４７】
図１０に、第１の実施携帯の携帯端末を片手で保持した状態を説明するための下側面図を示す。携帯端末１を片手で保持する場合、図１０に示すように、中指などの指先を背面プロテクタ１６の縁部に掛けて、表示部６であるタッチパネルに親指を添えることで、筐体３の前面３ａと背面３ｂとを指先で挟むように片手で容易に保持することができる。このように携帯端末１を片手で保持することによって、片手の親指でタッチパネルを操作可能な範囲を広く確保することができるので、片手だけでタッチパネルを容易に操作することができる。
【００４８】
上述したように、第１の実施形態の携帯端末１によれば、背面プロテクタ１６と外周プロテクタ１７とを有するケース構造体５を備えることによって、ケース構造体５が装着された携帯端末１全体を大型化することなく筐体３に加わる外力から筐体３を保護することができる。加えて、本実施形態によれば、筐体３の膨出部１２を覆う背面プロテクタ１６に指先を掛けて筐体３を保持することが可能になるので、背面プロテクタ１６を利用することで、片手での携帯端末１の持ちやすさを高めることができる。
【００４９】
また、背面プロテクタ１６を利用して携帯端末１が片手で持ちやすくなることによって、携帯端末１を保持した片手の親指の操作範囲が広がるので、片手の親指でのタッチパネルの操作性を高めることができる。
【００５０】
また、第１の実施形態では、ケース構造体５を筐体３に固定するための固定部である第１の凸部１８及び第２の凸部２６が、背面プロテクタ１６と外周プロテクタ１７とを連結するための連結部を兼ねている。このように、固定部と連結部との共通化が図られることで、ケース構造体５の形状、固定構造が簡素化されており、ケース構造体５が装着された携帯端末１全体の大型化を防ぐことができる。
【００５１】
ケース構造体５が、背面プロテクタ１６、上端面プロテクタ２１、下端面プロテクタ２２、左側面プロテクタ２３、右側面プロテクタ２４を連結して構成されていることによって、筐体３の膨出部１２を保護する背面プロテクタ１６に外力が加わったときに、背面プロテクタ１６の両端に連結された上端面プロテクタ２１、下端面プロテクタ２２に外力がそれぞれ分散される。さらに、上端面プロテクタ２１、下端面プロテクタ２２に伝わった外力を、左側面プロテクタ２３及び右側面プロテクタ２４にそれぞれ分散することができる。このため、背面プロテクタ１６に外力が集中することが避けられるので、筐体３の膨出部１２を適切に保護することができる。
【００５２】
（第２の実施形態）
図１１に、第２の実施形態の携帯端末におけるケース構造体の分解斜視図を示す。第２の実施形態におけるケース構造体は、外周プロテクタが筐体に固定されていない点が、第１の実施形態におけるケース構造体５と異なっている。なお、第２の実施形態において、第１の実施形態におけるケース構造体５と同一の構成部材には同一符号を付けると共に、筐体３、上端面プロテクタ２１及び下端面プロテクタ２２と同一部分には、便宜上、同一符号を付して説明を省略する。
【００５３】
図１１に示すように、第２の実施形態の携帯端末２は、筐体３を保護するためのケース構造体４１を備えている。本実施形態におけるケース構造体４１は、背面プロテクタ１６と、外周プロテクタ４２と、を備えている。
【００５４】
外周プロテクタ４２は、上端面プロテクタ４３及び下端面プロテクタ４４と、左側面プロテクタ２３及び右側面プロテクタ２４と、を有している。上端面プロテクタ４３及び下端面プロテクタ４４は、左側面プロテクタ２３及び右側面プロテクタ２４に係合する係合部４５を有している。また、係合部４５の端部には、左側面プロテクタ２３及び右側面プロテクタ２４と固定するための固定ねじ４６が固定されるねじ穴４５ａが設けられている。上端面プロテクタ４３及び下端面プロテクタ４４は、係合部４５のねじ穴４５ａに固定された固定ねじ４６によって、左側面プロテクタ２３及び右側面プロテクタ２４と固定されており、筐体３に対して固定されていない。
【００５５】
また、上端面プロテクタ４３及び下端面プロテクタ４４は、筐体３の膨出部１２に設けられた凹部１９に係合する板状の第２の凸部４７を有している。第２の凸部４７は、筐体３の厚み方向に直交する方向に突出して形成されている。第２の凸部４７には、固定ねじ４６が固定されるねじ穴４７ａが設けられている。上端面プロテクタ４３及び下端面プロテクタ４４は、第２の凸部４７のねじ穴４７ａに固定された固定ねじ４６によって、背面プロテクタ１６と固定されており、筐体３に対して固定されていない。
【００５６】
したがって、本実施形態におけるケース構造体４１は、筐体３の外周部に固定ねじ４６を用いて固定されることなく、筐体３に装着されている。そのため、背面プロテクタ１６や外周プロテクタ４２に外力が加わったときに、平面プロテクタ１６及び外周プロテクタ４２が筐体３に対して遊動しやすくされている。これによって、ケース構造体４１に加わった外力が、ケース構造体４１から筐体３に伝わることを防ぐと共に、ケース構造体４１に加わった外力の一部を背面プロテクタ２１と外周プロテクタ４２との間で互いに伝えて、ケース構造体４１に加わった外力を緩和することが可能になっている。
【００５７】
上述したように、第２の実施形態の携帯端末２によれば、ケース構造体４１が筐体３に固定ねじ４６によって固定されることなく、外周プロテクタ４２が筐体３の外周部に装着されている。これによって、ケース構造体４１に外力が加わったときに、外周プロテクタ４２、背面プロテクタ２１から筐体３に外力が伝わることを更に低減することができる。
【００５８】
また、第２の実施形態においても、第１の実施形態と同様に、背面プロテクタ１６を利用して携帯端末２が片手で持ちやすくなることによって、携帯端末２を保持した片手の親指の操作範囲が広がるので、片手の親指でのタッチパネルの操作性を高めることができる。
【００５９】
また、本実施形態の変形例としては、上端面プロテクタ及び下端面プロテクタが、筐体の角部を覆う部分を有する形状に形成されてもよく、上端面プロテクタ及び下端面プロテクタと、左側面プロテクタ及び右側面プロテクタとの分割位置を必要に応じて適宜変更されてもよい。
【００６０】
なお、上述した実施形態におけるケース構造体は、筐体を保護するためのプロテクタとして構成されたが、筐体を保護する機能の有無に限定されるものではなく、携帯端末の持ちやすさや、携帯端末の操作性を高めるためのケース構造体として適用されてもよいことは勿論である。
【符号の説明】
【００６１】
１  携帯端末
３  筐体
３ｂ  背面
５  ケース構造体
１２  膨出部
１６  背面プロテクタ（第１のケース部材）
１７  外周プロテクタ（第２のケース部材）
１５  固定ねじ
２１  上端面プロテクタ
２２  下端面プロテクタ
２３  左側面プロテクタ
２４  右側面プロテクタ
【図１】
2015139146.tif 000003
【図２】
2015139146.tif 000004
【図３】
2015139146.tif 000005
【図４】
2015139146.tif 000006
【図５】
2015139146.tif 000007
【図６】
2015139146.tif 000008
【図７】
2015139146.tif 000009
【図８】
2015139146.tif 000010
【図９】
2015139146.tif 000011
【図１０】
2015139146.tif 000012
【図１１】
2015139146.tif 000013